(57)【要約】【課題】  導光部材を用いることなく、かつ、レイアウト上の制約を受けにくい指針式計器装置を提供する。【解決手段】  【請求項１】  表示板１と、この表示板１の前方に配置された指針２と、この指針２を駆動する駆動装置３と、指針２の受光部２ｇに照明光Ｌを供給する光源４とを備えた指針式計器装置Ａにおいて、駆動装置３に光源４からの照明光Ｌを反射する反射面３ｄを設け、前記照明光Ｌを反射面３ｄによって反射し、指針２の受光部２ｇに供給するものである。【選択図】  図１
2008185469.tif 000002
【特許請求の範囲】
【請求項１】
表示板と、前記表示板の前方に配置された指針と、前記指針を駆動する駆動装置と、前記指針の受光部に照明光を供給する光源とを備えた指針式計器装置において、前記駆動装置に前記光源からの照明光を反射する反射面を設け、前記照明光を前記反射面によって反射し、前記指針の受光部に供給することを特徴とする指針式計器装置。
【請求項２】
前記反射面は前記光源からの照明光を拡散させるために微細な凹凸を備えていることを特徴とする請求項１に記載の指針式計器装置。
【請求項３】
前記指針と前記駆動装置との間に回路基板を設け、前記光源が前記回路基板の板面方向に対して水平方向に照明光を射出可能となるように前記回路基板に設けたことを特徴とする請求項１に記載の指針式計器装置。
【発明の詳細な説明】
【技術分野】
【０００１】
本発明は、例えば車両用計器等に用いられる指針式計器装置に関する。
【背景技術】
【０００２】
従来の指針式計器装置は、指針と、この指針を照明する光源と、この光源の照明光を前記指針に導く導光部材とを備え、前記光源の照明光を前記導光部材により効率的に指針へと供給する構造を備えている（例えば、特許文献１参照）。
【０００３】
しかし、従来の指針式計器装置のように、前記導光部材を用いた照明方式は、前記導光部材を必要とすることから、コスト上昇や装置の大型化・複雑化、重量増加を招くなどといった問題点があった。
【０００４】
そこで、指針を導光部材を用いずに、光源からの照明光で直接指針を照明する指針式計器装置として、前記指針の駆動軸を中心とした指針キャップの下方の同心円上に多数の光源を配置したものがあった（例えば、特許文献２参照）。
【特許文献１】特開平９−１０５６４９号公報
【特許文献２】特開２００１−２５５１７７号公報
【発明の開示】
【発明が解決しようとする課題】
【０００５】
しかし、この指針を直接光で照明する指針式計器装置は、前記指針の駆動軸を中心とした指針キャップの下方の同心円上に光源を配置しなければならず、この光源を覆い隠すために、前記指針キャップが大型化するなどのレイアウト上の制約を受けるといった問題点があった。
【０００６】
そこで、本発明は、前述した問題点に着目し、導光部材を用いることなく、かつ、レイアウト上の制約を受けにくい指針式計器装置を提供する。
【課題を解決するための手段】
【０００７】
本発明は、表示板と、前記表示板の前方に配置された指針と、前記指針を駆動する駆動装置と、前記指針の受光部に照明光を供給する光源とを備えた指針式計器装置において、前記駆動装置に前記光源からの照明光を反射する反射面を設け、前記光源から照射された照明光が、前記反射面によって反射され、前記指針の受光部に供給されるものである。
【０００８】
また、本発明は、前記反射面は前記光源からの照明光を拡散させるために微細な凹凸を備えているものである。
【０００９】
また、本発明は、前記指針と前記駆動装置との間に回路基板を設け、前記光源が前記回路基板の板面方向に対して水平方向に照明光を射出可能となるように前記回路基板に設けたものである。
【発明の効果】
【００１０】
本発明によれば、所期の目的を達成でき、導光部材を用いることなく、かつ、レイアウト上の制約を受けにくい指針式計器装置を提供することができる。
【発明を実施するための最良の形態】
【００１１】
以下、添付図面に基づいて本発明の実施形態を説明する。図１は、本発明の実施形態を示すものである。
【００１２】
図１において、本実施形態による指針式計器装置Ａは、表示板１と、指針２と、駆動装置３と、光源４と、回路基板５とから主に構成される。
【００１３】
表示板１は、透明な合成樹脂からなる板状体であり、その板面、図１中上面（指針２を設けた側）に、図示していないが、文字や目盛などの指標部を除いて遮光性の塗料からなる地色層を備えている。なお、前記指標部は光を透過することができる。
【００１４】
また、表示板１は、貫通孔１ａを備えており、この貫通孔１ａを指針２と駆動装置３とを連結する後述する駆動軸が貫通するものである。
【００１５】
指針２は、表示板１の前方（図１中で表示板１の上側）に位置している。この指針２は、前記指標部を構成する目盛を指示する指示部２ａと、指示部２ａの回転中心となる基部２ｂと、基部２ｂを覆う指針キャップ２ｃとで主に構成されている。指示部２ａと基部２ｂとは、光を透過する透光性の合成樹脂からなり、指針キャップ２ｃは、光を透過しない遮光性の合成樹脂からなる。指示部２ａと基部２ｂとは、一体形成されている。指示部２ａは細長く先細りの棒状であり、基部２ｂは円盤形状で、ボス部２ｅと反射部２ｆと受光部２ｇとを備えている。ボス部２ｅは、凹部２ｄを備えており、この凹部２ｄに後述する駆動軸の端部が挿入固定される。受光部２ｇは、基部２ｂの下側に設けられており、光源４からの照明光Ｌを基部２ｂ内に取り込むものである。反射部２ｆは、受光部２ｇで基部２ｂ内に取り込んだ光源４の照明光Ｌを指示部２ａ側に反射するものである。
【００１６】
駆動装置３は、指針２を回転駆動するものであり、例えば、ステッピングモータや交差コイル式計器本体などが好ましい。計器本体３は、指針２に固定される駆動軸３ａを備えいる。駆動装置３は、合成樹脂からなるハウジング３ｂを備えており、駆動装置３がステッピングモータであれば、このハウジング３ｂ内に、駆動軸３ａを回転駆動する駆動機構として、磁石やコイルなどを収納している。
【００１７】
このハウジング３ｂは駆動軸３ａに沿って指針２側に突出形成した突出部３ｃを備えている。この突出部３ｃは、円錐形状の反射面３ｄを備えている。この反射面３ｄは、駆動軸３ａの周囲に設けられている。また、反射面３ｄは、光源４からの照明光Ｌを良好に反射するように鏡面仕上げされている。なお、光源４からの照明光Ｌを良好に反射するためには、反射面３ｄにメッキ層を施してもよいし、あるいは、蒸着膜を施してもよい。なお、光源４からの照明光Ｌを拡散させ、指針２を均一に照明するために、反射面３ｄに微細な凹凸を形成してもよい。
【００１８】
また、本実施形態では、反射面３ｄの断面形状は直線であったが、光源４からの照明光Ｌを集光する場合は、その断面形状を凹面とし、光源４からの照明光Ｌを拡散する場合は、その断面形状を凸面としてもよい。
【００１９】
また、突出部３ｃは、その内部に駆動軸３ａの軸受を備えており、駆動軸３ａの軸のズレを防止するものでもある。
【００２０】
光源４は、本実施形態では発光ダイオードであり、特に表面実装可能なものである。光源４は、回路基板５の板面方向に対して水平方向に照明光Ｌを射出可能である。また、駆動軸３ａの軸方向に対して、垂直方向に対して垂直方向に照明光Ｌを射出可能である。本実施形態では、駆動装置３の突出部３ｃの周囲に複数設けられており、本実施形態の指針２の回動範囲に対応するために、３つの発光ダイオード４を備えている。
【００２１】
回路基板５は硬質の基板であり、ガラスエポキシ樹脂などの絶縁材料に、銅などの導電材料から成る配線パターンをその表面や内部に備えたものである。本実施形態では、回路基板５は、表示板１と駆動装置３との間に設けられている。また、回路基板５は、駆動装置３の駆動軸３ａや突出部３ｃが貫通する貫通孔５ａを備えている。貫通孔５ａは円形であり、光源４は、この貫通孔５ａの周囲に設けられている。また、光源４は、回路基板５の図１中上側の面（指針２側の面）に設けられている。
【００２２】
以上のように、駆動装置３に光源４からの照明光Ｌを反射する反射面３ｄを設け、光源４からの照明光Ｌが、反射面に３ｄよって反射され、指針２の受光部２ｇに供給されることによって、導光部材を用いることなく、かつ、レイアウト上の制約を受けにくい指針式計器装置Ａを提供することができる。
【００２３】
また、反射面３ｄは光源４からの照明光Ｌを拡散させるために微細な凹凸を備えていることによって、拡散部材を用いることなく、光源４からの照明光Ｌを拡散することができ、指針２を均一に照明することが可能な指針式計器装置Ａを提供することができる。
【００２４】
また、指針２と駆動装置３との間に回路基板５を設け、光源４が回路基板５の板面方向に対して水平方向に照明光Ｌを射出可能となるように回路基板５に設けたことによって、表示板１と回路基板５との間隔を狭くし、駆動軸３ａの軸方向に対して、薄型の指針式計器装置Ａを提供することができる。
【００２５】
また、第１の実施形態では、光源４を回路基板５の図１中上側の面（指針２側の面）に設けたが、第１の実施形態に限定されるものではなく、図２に示すように、光源４を回路基板の下側の面（駆動装置３側の面）に設けてもよい。このように構成することによって、表示板１と回路基板５とを近接させて配置することができ、駆動軸３ａの軸方向に対して、薄型の指針式計器装置Ａを提供することができる。
【００２６】
なお、前記各実施形態では、突出部３ｃは円錐形状の反射面３ｄを備えていたが、前記実施形態に限定されるものではなく、突出部３ｃを多角形の錐形状、例えば、四角錐とし、この四角錐の反射面に光源４が対向するように設ければよい。
【図面の簡単な説明】
【００２７】
【図１】本発明の第１実施形態の指針式計器装置の断面図。
【図２】同発明の第２実施形態の指針式計器装置の断面図。
【符号の説明】
【００２８】
Ａ    指針式計器装置
Ｌ    照明光
１    表示板
１ａ  貫通孔
２    指針
２ａ  指示部
２ｂ  基部
２ｃ  指針キャップ
２ｄ  凹部
２ｅ  ボス部
２ｆ  反射部
２ｇ  受光部
３    駆動装置
３ａ  駆動軸
３ｂ  ハウジング
３ｃ  突出部
３ｄ  反射面
４    光源
５    回路基板
５ａ  貫通孔
【図１】
2008185469.tif 000003
【図２】
2008185469.tif 000004